(57)【要約】【課題】本発明は、部品数の少ない単純な構造で、正常な回動操作でない時に、引掛具を無理に回動しても、吊掛具や支持具が壊れないと共に、引掛具に過荷重がかかった時に警告表示すること。【解決手段】吊掛具８は、シャフト２０の下端に略筒状の連係筒２５を設け、さらにそこに、リング部２９の上部に略円柱状の連係突起３０を設けた引掛具２８を設けてある。連係筒２５には、下方に開口する凹部である収容部２６を設け、その上面に放射状に三角形の突起を配設した接触部２７を設けてある。連係突起３０には、上端に放射状に三角形の突起を配設した接触部３１を設けると共に、下部外周に赤色の表示部３２を設けてある。引掛具２８は、連係突起３０を収容部２６に挿入し、連係筒２５を貫通するねじ３３で取り付けられ、ねじ３３は圧縮ばねである弾性体２４によって上方に付勢されており、従って、引掛具２８は、弾性体２４によって上方に付勢されている。【選択図】図２
2008194324.tif 000002
【特許請求の範囲】
【請求項１】
天井面等に取り付けられる支持具に、シャフトに引掛具を設けた吊掛具を回動して着脱することができる吊掛装置において、吊掛具は、シャフトの下端部に連係筒を設けると共に、連係筒には下方に開口する凹部である収容部を設け、引掛具は、上端部に連係突起を設け、この連係突起を連係筒の収容部に挿入して収容するよう、弾性体によって上方に付勢して吊掛具の下端部に取り付けられ、連係筒及び連係突起には互いに接触する接触部をそれぞれ設けると共に、連係突起の外周には表示部を設けて成り、引掛具に荷重がかかっていない時には弾性体の付勢力によって、連係筒と連係突起のそれぞれ接触部が接触して引掛具はシャフトと一緒に回動すると共に、連係突起の表示部が連係筒に収容されている状態に保持されるよう構成し、引掛具は一定以上の力で回動すると空転するように設定されていると共に、引掛具に一定以上の荷重がかかると弾性体の付勢力に抗して、連係突起が下動してその表示部が連係筒から露出するように設定されていることを特徴とする吊掛装置。
【請求項２】
天井面等に取り付けられる支持具に、シャフトに引掛具を設けた吊掛具を回動して着脱することができる吊掛装置において、吊掛具は、シャフトの下端部に連係突起を設け、引掛具は、上端部に連係筒を設けると共に、連係筒には上方に開口する凹部である収容部を設け、この連係筒に連係突起を挿入して収容するよう、弾性体によって上方に付勢して吊掛具の下端部に取り付けられ、連係筒及び連係突起には互いに接触する接触部をそれぞれ設けると共に、連係突起の外周には表示部を設けて成り、引掛具に荷重がかかっていない時には弾性体の付勢力によって、連係筒と連係突起のそれぞれ接触部が接触して引掛具はシャフトと一緒に回動すると共に、連係突起の表示部が連係筒に収容されている状態に保持されるよう構成し、引掛具は一定以上の力で回動すると空転するように設定されていると共に、引掛具に一定以上の荷重がかかると弾性体の付勢力に抗して、連係筒が下動して連係突起の表示部が連係筒から露出するように設定されていることを特徴とする吊掛装置。
【発明の詳細な説明】
【技術分野】
【０００１】
本発明は、主に、室内の天井に取り付けて、物干具や物干竿あるいは観葉植物や絵画等を吊り下げて使用する吊掛装置に関するものである。
【背景技術】
【０００２】
従来より、前述のような吊掛装置として特開２００３−２２５４９８号公報に記載された発明が提案されている。この従来例においては、支持具には横長の嵌合孔を設けて、吊掛具には、上端に一対の係止突部を設けた球形フックを形成し、下端にリングを設けてあり、球形フックを嵌合孔から挿入して９０度回動して、吊掛具を支持具に取り付け、逆に９０度回動して取り外すものである。
【特許文献１】特開２００３−２２５４９８号公報
【発明の開示】
【発明が解決しようとする課題】
【０００３】
上記従来例においては、吊掛具は吊り下げられた状態で支持具に対して回動させると、取り外すことができる吊掛装置であって、引掛具であるリングはシャフトに対して常時回動が不能であるので、着脱の時にリングを回動操作すると、例えば回動範囲を越えて回動する等、正常な回動操作でない時に、無理に回動すると、吊掛具や支持具が壊れてしまうという問題がある。
【０００４】
また、当然吊掛装置の耐荷重は設定されているが、使用者は吊り下げるものの重さがどのくらいあるのか、耐荷重以内であるのかを把握することは極めて難しく、リングに耐荷重以上の重いものを吊り下げることがありその場合には、吊掛装置が壊れるか、最悪の場合には取り付けられている天井を壊してしまうという問題がある。
【０００５】
本発明は、上記の２つの問題を一部分の簡単な構造で解決することを課題としているものである。
【課題を解決するための手段】
【０００６】
上記課題を解決するために、請求項１の発明においては、天井面等に取り付けられる支持具に、シャフトに引掛具を設けた吊掛具を回動して着脱することができる吊掛装置において、吊掛具は、シャフトの下端部に連係筒を設けると共に、連係筒には下方に開口する凹部である収容部を設け、引掛具は、上端部に連係突起を設け、この連係突起を連係筒の収容部に挿入して収容し、弾性体によって上方に付勢して吊掛具の下端部に取り付けられ、連係筒及び連係突起には互いに接触する接触部をそれぞれ設けると共に、連係突起の外周には表示部を設けて成り、引掛具に荷重がかかっていない時には弾性体の付勢力によって、連係筒と連係突起のそれぞれ接触部が接触して引掛具はシャフトと一緒に回動すると共に、連係突起の表示部が連係筒に収容されている状態に保持されるよう構成し、引掛具は一定以上の力で回動すると空転するように設定されていると共に、引掛具に一定以上の荷重がかかると弾性体の付勢力に抗して、連係突起が下動してその表示部が連係筒から露出するように設定されているものである。
【０００７】
また請求項２の発明においては、天井面等に取り付けられる支持具に、シャフトに引掛具を設けた吊掛具を回動して着脱することができる吊掛装置において、吊掛具は、シャフトの下端部に連係突起を設け、引掛具には、上端部に連係筒を設けると共に、連係筒には上方に開口する凹部である収容部を設け、引掛具は、連係筒の収容部に吊掛具の連係突起を挿入して収容し、弾性体によって上方に付勢して吊掛具の下端部に取り付けられ、連係筒及び連係突起には互いに接触する接触部をそれぞれ設けると共に、連係突起の外周には表示部を設けて成り、引掛具に荷重がかかっていない時には弾性体の付勢力によって、連係筒と連係突起のそれぞれ接触部が接触して引掛具はシャフトと一緒に回動すると共に、連係突起の表示部が連係筒に収容されている状態に保持されるよう構成し、引掛具は一定以上の力で回動すると空転するように設定されていると共に、引掛具に一定以上の荷重がかかると弾性体の付勢力に抗して、連係筒が下動して連係突起の表示部が連係筒から露出するように設定されているものである。
【発明の効果】
【０００８】
以上のように本発明によれば、部品数の少ない単純な構造で、正常な回動操作でない時に、引掛具を無理に回動しても引掛具は空転し、吊掛具や支持具に過剰な力がかかって壊れてしまうことがないという効果と過荷重の警告を表示する効果を同時に奏することができるものである。
【０００９】
また、引掛具に急激に荷重をかけた場合でも、引掛具を上方に付勢してる弾性体が変形して衝撃荷重を緩和して、吊掛具や支持具が壊れるのを防止することができるという効果もある。
【実施例１】
【００１０】
支持具１は、周縁に鍔部１４を有し、鍔付き帽子を上下逆にしたような形状の基体２の中に、抜止具４、伝達具５及び振り分けばね６を内蔵し、裏面に蓋体３を被せ、表面にカバー７を被せて成るものである。
【００１１】
基体２には、底板の内面に直線溝の誘導部１０を設け、この誘導部１０の中央に円形の貫通孔の挿入孔９を設けてある。鍔部１４には、相対向する２箇所に取付孔１５・１５を設け、その中間に円柱状の突起１６を設けてある。基体２には、取付孔１５・１５に挿通する取付ねじを隠して美観を向上させるために、カバー７を被せるようになっている。
【００１２】
抜止具４は、中央側を円弧状に切り欠いて閉塞部１１を形成し、反対側には上方に突出する受動部１２を設けてあり、２つを一組として基体２の誘導部１０に、それぞれの閉塞部１１・１１を対向するように、摺動可能に設けられる。
【００１３】
伝達具５は、略短円柱状で、基体２の中に回動可能に収容され、一面側に楕円形状溝の案内部１３を設けると共に、その中央に円形の挿入凹部１８を設けてある。さらに、挿入凹部１８の底面中央には六角形に突出している係合部１９を設けてある。また、他面側には、一部切り欠いて一段低い面を形成してあり、そこに突起１７を設け、振り分けばね６の一端が取り付けられるようになっている。この振り分けばね６は、他端が基体２の突起１６に取り付けられ、伝達具５を回動した時、中間点を境にして振り分けるものである。
【００１４】
一対の抜止具４・４の受動部１２・１２は伝達具５の案内部１３に係合するようになっており、伝達具５が回動すると、案内部１３と受動部１２・１２の係合により、抜止具４・４は摺動され、閉塞部１１・１１が基体２の挿入孔９の一部を閉塞するようになっている。
【００１５】
吊掛具８は、シャフト２０の一端にばね２１を介して略半球形状の挿入部２２を設け、他端に略筒状の連係筒２５を設け、さらにそこに、リング部２９の上部に略円柱状の連係突起３０を設けた引掛具２８を取り付けてある。挿入部２２の上端の平らな部分には、六角形の孔の駆動部２３を凹設してある。この駆動部２３は、伝達具５の係合部１９と係合する。
【００１６】
連係筒２５には、下方に開口する凹部である収容部２６を設け、その上面に放射状に三角形の突起を配設した接触部２７を設けてある。連係突起３０には、上端に放射状に三角形の突起を配設した接触部３１を設けると共に、下部外周に赤色の表示部３２を設けてある。なお、この実施例では、連係筒２５はシャフト２０と別体のものを取り付けているが、パイプ状のシャフト２０の下部を連係筒としてもよい。この場合、連係筒の接触部は別体のものをシャフト２０下部に取り付ける必要がある。
【００１７】
引掛具２８は、連係突起３０を収容部２６に挿入し、連係筒２５を貫通するねじ３３で取り付けられ、ねじ３３は圧縮ばねである弾性体２４によって上方に付勢されており、従って、引掛具２８は、弾性体２４によって上方に付勢されて、その接触部３１が連係筒２５の接触部２７と接触してそれぞれの三角形の突起が噛み合っていると共に、連係突起３０の赤色の表示部３２は収容部２６に収容されて、露出していない。
【００１８】
ねじ３３と弾性体２４との間には、２枚の座金３４・３４で合成樹脂製の滑子３５を挟んだものを介在させ、ねじ３３がスムーズに摺動できるようにしてある。なお、本実施例では、接触部２７と接触部３１は、共に三角形の突起であって噛み合うようになっているが、弾性体２４の力によって接触してある程度の摩擦力が生じるものであれば、突起ではなく単に平面であってもよい。
【００１９】
支持具１を組み立てるには、抜止具４・４を支持具１の基体２の誘導部１０に、受動部１２・１２を上向きに、閉塞部１１・１１を対向するようにして配設し、受動部１２・１２が案内部１３に係合するように、伝達具５を被せ、基体２の突起１６と伝達具５の突起１７に振り分けばね６を取り付けて蓋体３を被着し、天井等に取付ねじで取り付け、最後にカバー７を被着する。
【００２０】
吊掛具８の挿入部２２を基体２の挿入孔９から伝達具５の挿入凹部１８に挿入し、駆動部２３を係合部１９に係合し引掛具２８を右に９０度回動させると、伝達具５の案内部１３が抜止具４・４の受動部１２・１２を動かすので、抜止具４・４は誘導部１０に沿って中央に向かって摺動し、その閉塞部１１・１１が挿入孔９の一部を閉塞する。閉塞された挿入孔９は挿入部２２の直径よりも小さくなり、駆動部２３を係合部１９から外して、吊掛具８を下ろすと、挿入部２２が閉塞部１１・１１に抜け止めされ吊掛具８は支持具１に支持される（図１、図２、図５及び図９の状態）。
【００２１】
吊掛具８が支持具１に支持されただけの不使用状態では、弾性体２４の力によって、連係筒２５の接触部２７と連係突起３０の接触部３１のそれぞれの三角形の突起が噛み合い、連係突起３０の赤色の表示部３２は連係筒２５の収容部２６に収容されて露出していない状態であり（図２の状態）、引掛具２８に物干具や観葉植物や絵画等を吊り下げて使用したり、間隔を離して２つ取り付けて引掛具２８・２８に物干竿を掛け渡して使用するものである。
【００２２】
不使用時は、引掛具２８を持って吊掛具８を持ち上げ、挿入部２２の駆動部２３を係合部１９に係合させ、左に９０度回動させると、連係筒２５の接触部２７と連係突起３０の接触部３１が噛み合っているので、その回動力は連係突起３０に伝達され、吊掛具８が回動する。そして、伝達具５の案内部１３が抜止具４・４の受動部１２・１２を動かすので、抜止具４・４は誘導部１０に沿って外方に向かって摺動し、その閉塞部１１・１１が挿入孔９から後退し、挿入孔９の全体が開口し、吊掛具８の挿入部２２を抜き外すことができる（図７、図８及び図１０の状態）。
【００２３】
そして使用時に、引掛具２８に一定以上の荷重がかかると、ねじ３３を介して弾性体２４が変形し、引掛具２８が下動し、連係突起３０に設けた表示部３２が連係筒２５から露出し、過荷重であることを知らせるものである（図３の状態）。この状態では、連係筒２５の接触部２７と連係突起３０の接触部３１の噛合は外れており、引掛具２８が回動しても空転するだけで、吊掛具８は回動せず脱落することはない。
【００２４】
また、引掛具２８を回動する時に、正常な回動操作でない場合、例えば回動が既に終わって挿入部２２を着脱することができる状態になっているのに、さらに回動操作しようする場合等、引掛具２８を無理に回動すると、弾性体２４が変形して、接触部２７と接触部３１との三角形の突起の噛み合いが乗り越えて空転することになり、支持具１あるいは吊掛具８が壊れるのを防止する。
【００２５】
引掛具２８は一定以上の力で回動すると空転するように設定されていると共に、引掛具２８に一定以上の荷重がかかると弾性体２４の付勢力に抗して、連係突起３０が下動してその表示部３２が連係筒２５から露出するように設定されているが、引掛具２８が空転を始める力と、表示部３２が連係筒２５から露出する力は、弾性体２４の強さと、接触部２７と接触部３１との噛み合い方によって決められるものであり、必ずしも同じである必要はない。
【実施例２】
【００２６】
なお、図１１及び図１２に示すものは、吊掛具１０１の他の実施例であって、連係筒と連係突起を逆にしたものである。シャフト１０２の下端に略円柱の連係突起１０６を設け、さらにそこに、リング部１０４の上部に略円筒状の連係筒１０９を設けた引掛具１０３を取り付けてある。連係筒１０９には、上方に開口する凹部である収容部１１０を設け、その下面に三角形の突起を放射状に配設した接触部１１１を設けてある。連係突起１０６には、下端に三角形の突起を放射状に配設した接触部１０７を設けると共に、中間部外周に赤色の表示部１０８を設けてある。
【００２７】
引掛具１０３は、連係筒１０９の収容部１１０に連係突起１０６を挿入し、連係突起１０６を貫通するねじ１１２で取り付けられ、ねじ１１２は圧縮ばねである弾性体１０５によって上方に付勢されており、従って、引掛具１０３は、弾性体１０５によって上方に付勢されて、その接触部１１１が連係突起１０６の接触部１０７と接触してそれぞれの三角形の突起が噛み合っていると共に、連係突起１０６の赤色の表示部１０８は収容部１１０に収容されて、露出していない（図１１の状態）。
【００２８】
そして、引掛具１０３に一定以上の荷重がかかると、ねじ１１２を介して弾性体１０５が変形し、引掛具１０３に設けた連係筒１０９が下動し、連係突起１０６に設けた表示部１０８が露出し、過荷重であることを知らせるものである（図１２の状態）。なお、引掛具１０３が空転する動きについては、実施例１と同様である。
【図面の簡単な説明】
【００２９】
【図１】取付状態を示す全体正面図（実施例１）。
【図２】取付状態を示す、中間部分を省略した全体断面図（一部断面でない部分がある）（実施例１）。
【図３】警告表示が出た状態の吊掛具下部の断面図（一部断面でない部分がある）（実施例１）。
【図４】吊掛具下部の分解斜視図（連係筒の一部を切り欠いてある）（実施例１）。
【図５】図２のＡ−Ａ線断面図（挿入孔の一部が閉塞している状態の横断面図。ただし吊掛具の挿入部は図示していない。）（実施例１）。
【図６】支持具の分解斜視図（実施例１）。
【図７】挿入孔の全体が開口し、吊掛具を支持具から抜き外せる状態の一部断面図（中間部分を省略してある）（実施例１）。
【図８】図７のＢ−Ｂ線断面図（挿入孔の全体が開口している状態の横断面図。ただし吊掛具の挿入部は図示していない。）（実施例１）。
【図９】蓋体を外した状態の支持具の平面図（挿入孔の一部が閉塞している状態）（実施例１）。
【図１０】蓋体を外した状態の支持具の平面図（挿入孔の全体が開口している状態）（実施例１）。
【図１１】吊掛具下部の断面図（実施例２）。
【図１２】警告表示が出た状態の吊掛具下部の断面図（一部断面でない部分がある）（実施例２）。
【符号の説明】
【００３０】
１    支持具
８    吊掛具
２０    シャフト
２４    弾性体
２５    連係筒
２６    収容部
２７    接触部
２８    引掛具
３０    連係突起
３１    接触部
３２    表示部
１０１    吊掛具
１０２    シャフト
１０３    引掛具
１０５    弾性体
１０６    連係突起
１０７    接触部
１０８    表示部
１０９    連係筒
１１０    収容部
１１１    接触部
【図１】
2008194324.tif 000003
【図２】
2008194324.tif 000004
【図３】
2008194324.tif 000005
【図４】
2008194324.tif 000006
【図５】
2008194324.tif 000007
【図６】
2008194324.tif 000008
【図７】
2008194324.tif 000009
【図８】
2008194324.tif 000010
【図９】
2008194324.tif 000011
【図１０】
2008194324.tif 000012
【図１１】
2008194324.tif 000013
【図１２】
2008194324.tif 000014